(57)【要約】【課題】金属光沢を有する被撮像物を簡便かつ良好に読み取る。【解決手段】複写機はプラテンガラスに液晶シートを有し、この液晶シートは電圧を印加されて光を散乱させる状態（散乱状態）と光を透過させる状態（透過状態）とに切り替わることが可能となっている。複写機は液晶シートを散乱状態にしてスキャンを行うことにより判別用画像データを生成し（ステップＳ１、Ｓ２）、液晶シートを透過状態にしてスキャンを行うことにより色情報を表す画像データを生成する（ステップＳ３、Ｓ４）。複写機は判別用画像データと色情報を表す画像データの差違に基づいて金属光沢領域の有無を判別し（ステップＳ５）、金属光沢領域が存在する場合には（ステップＳ５；ＹＥＳ）、金属光沢領域にメタリック色のトナーを用いて画像を形成する。【選択図】図６
2007116541.tif 000002
【特許請求の範囲】
【請求項１】
被撮像物に光を照射する照明手段と、
前記照明手段により照射された光のうち、前記被撮像物で反射した光を散乱させる光散乱手段であって、散乱の度合いを可変とする光散乱手段と、
前記光散乱手段による散乱光を受光して、受光された散乱光に応じた画像データを出力する受光手段と
を備えることを特徴とする画像読取装置。
【請求項２】
前記光散乱手段が液晶シートであることを特徴とする請求項１に記載の画像読取装置。
【請求項３】
前記被撮像物を載置するための板状のガラス部材を備え、
前記液晶シートは、前記ガラス部材の上面あるいは下面に沿って延在する
ことを特徴とする請求項２に記載の画像読取装置。
【請求項４】
前記光散乱手段は、印加される電圧に応じて前記散乱の度合いを変化させる光散乱手段であって、
前記光散乱手段に印加する電圧を制御し、当該光散乱手段を、光を散乱させる第１の状態と、光を散乱させない第２の状態のいずれかに切り替える切替手段を備える
ことを特徴とする請求項１に記載の画像読取装置。
【請求項５】
前記第１の状態において前記受光手段により出力された第１の画像データと、前記第２の状態において前記受光手段により出力された第２の画像データとを比較し、これらの画像データの差違が所定の閾値を上回る領域を光沢を有する領域であると判別する判別手段を備える
ことを特徴とする請求項４に記載の画像読取装置。
【請求項６】
請求項１乃至５のいずれかに記載の画像読取装置を備えることを特徴とする画像形成装置。
【発明の詳細な説明】
【技術分野】
【０００１】
本発明は、被撮像物を表す画像データを生成する画像読取装置に係り、特に、金属光沢を有する被撮像物をも良好に読み取るための技術に関する。
【背景技術】
【０００２】
一般に、金属光沢を有する被撮像物を画像読取装置を用いて読み取り走査を行い、これを表す画像データを得ることは困難である。これは、一般的な画像読取装置においては、被撮像物に所定の角度から光を照射したときの拡散反射光に基づいて画像データを生成しているからである。物体の表面における反射光は、入射光の入射角と等しい角度で反射する「鏡面反射成分」と、あらゆる角度に反射する「拡散反射成分」とに分けられるが、金属光沢を有する物体からの反射光は鏡面反射成分を多く含み、拡散反射成分はわずかである。そのため、このような被撮像物を読み取ろうとしても、拡散反射成分が不足するために暗い（明度の低い）画像となり、被撮像物を忠実には表現できないのである。
【０００３】
そこで、金属光沢を有する被撮像物を良好に読み取るべく、従来より各種の取り組みがなされている。例えば、特許文献１においては、原稿台と原稿の間に乱反射を増加させるためのシート（反射光制御部材）を挿入した状態で原稿を読み取り、このとき生成される画像データと通常の状態（シートを挿入しないで原稿を読み取った状態）で生成される画像データとを用いることで金属光沢を有する領域を判別している。
【特許文献１】特開２００５−１０１７２６号公報
【発明の開示】
【発明が解決しようとする課題】
【０００４】
しかし、上述の特許文献１に記載された技術の場合、ユーザ自身が反射光制御部材を挿入する作業をすることが求められる。このような作業を原稿の読み取りの度に実行したのでは、ユーザに多大な負担を強いることとなる。また、反射光制御部材を挿入するためには原稿を一旦外す必要があるので、挿入の前後で原稿の位置にずれが生じやすく、正確な読み取りが行えないという問題もある。
【０００５】
本発明は上述の事情に鑑みてなされたものであり、その目的は、金属光沢を有する被撮像物を簡便かつ良好に読み取るための技術を提供することにある。
【課題を解決するための手段】
【０００６】
上述の目的を達成するために、本発明に係る画像読取装置は、被撮像物に光を照射する照明手段と、前記照明手段により照射された光のうち、前記被撮像物で反射した光を散乱させる光散乱手段であって、散乱の度合いを可変とする光散乱手段と、前記光散乱手段による散乱光を受光して、受光された散乱光に応じた画像データを出力する受光手段とを備える。この画像読取装置によれば、光散乱手段によって反射光の散乱の度合いを変化させることができるので、被撮像物の金属光沢に応じた読み取りを行うことができる。例えば、反射光が鏡面反射成分を多く含むような表面を有する被撮像物、すなわち金属光沢を有する被撮像物を読み取る場合であれば、反射光（特に鏡面反射光）が散乱する度合いを大きくし、受光手段により受光される光が多くなるようにすればよい。
【０００７】
また、本発明において、前記光散乱手段としては液晶シートを用いることができる。この場合において、前記液晶シートは、プラテンガラス等のガラス部材の上面あるいは下面に沿って延在する構成であると、より好適である。
【０００８】
また、本発明は、前記光散乱手段に印加する電圧を制御することによって、当該光散乱手段を光を散乱させる第１の状態と光を散乱させない第２の状態のいずれかに切り替える切替手段をさらに備える構成であってもよい。また、この第１の状態において、光を散乱させる度合いを連続的あるいは段階的に変化させてもよい。このようにすれば、種々の光沢度を有するさまざまな物体を被撮像物とすることができる。
【０００９】
また、本発明は、前記第１の状態において前記受光手段により出力された第１の画像データと、前記第２の状態において前記受光手段により出力された第２の画像データとを比較し、これらの画像データの差違が所定の閾値を上回る領域を光沢を有する領域であると判別する判別手段を備える構成であってもよい。このようにすれば、被撮像物において金属光沢を有する領域とそうでない領域とを区別することができ、それぞれの領域に応じた処理を行うことも可能となる。
【００１０】
なお、本発明は、上述の画像読取装置を備える画像形成装置としても特定され得るものである。本発明に係る画像形成装置の一例としては、後述する電子写真方式の複写機を挙げることができるが、もちろん、他の記録方式の画像形成装置をも含み得る。
【発明を実施するための最良の形態】
【００１１】
以下では、本発明の実施の形態について図面を参照しながら説明する。ここでは、本発明の実施の一態様として、電子写真方式の複写機を挙げて説明する。なお、本実施形態においては、その構成上、画像の読み取り対象である被撮像物は、紙や金属板など、主としてシート状の物体を想定している。しかしながら、本発明における読み取り対象はこのような物体に限定されない。
【００１２】
［１．構成］
図１は、本発明の一実施形態である複写機１００の構成を概略的に示したブロック図である。また、図２は、この複写機１００の画像読取部１０および画像形成部２０の構成をより具体的に示した図である。ここではまず、画像読取部１０および画像形成部２０の構成について詳細に説明する。
【００１３】
画像読取部１０はいわゆるイメージスキャナの機能を有し、画像形成部２０はいわゆるプリンタの機能を有する。このうち、画像読取部１０は、プラテンガラス１１と、プラテンカバー１２と、フルレートキャリッジ１３と、ハーフレートキャリッジ１４と、結像レンズ１５と、ラインセンサ１６とを備える。
【００１４】
図３は、プラテンガラス１１の構成をより詳細に示した図である。プラテンガラス１１は、ガラス板１１１、１１５と、中間膜１１２、１１４と、液晶層１１３とを備える。ガラス板１１１、１１５は透明のガラス部材であり、所定の幅と奥行きを有して延在している。中間膜１１２、１１４はポリエステルからなる透明のフィルム状部材であり、各々にはＩＴＯ（Indium Tin Oxide）からなる導電膜が形成されている。これらの導電膜は透明電極として機能する。液晶層１１３はネマティック液晶が封入されたマイクロカプセルを分散したフィルム状の部材である。液晶層１１３の基材となるポリマーは、液晶が電圧を印加されて配向状態となっているときのマイクロカプセルの屈折率と同等の屈折率となる材料が選択されている。なお、以下においては、中間膜１１２、液晶層１１３および中間膜１１４を総称して「液晶シート１１ａ」という。液晶シート１１ａはガラス板１１１、１１５と同程度の幅と奥行きを有して延在している。
【００１５】
液晶シート１１ａの電極間には、後述する電圧印加部５０により所定の電位差が与えられる。電圧を印加された状態においては、液晶層１１３に含まれる液晶は配向状態となるため、液晶シート１１ａは光を透過する状態となる。一方、電極間に電位差のない状態においては、液晶層１１３に含まれる液晶は不規則に並んだ状態となるため、液晶シート１１ａは光を散乱する状態となる。この液晶シート１１ａの平行光線の透過率およびヘイズ率と電位差の関係は、例えば図４のようになっている。なお、同図において、透過率Ｔｐおよびヘイズ率Ｈｚの単位は“％”、印加電圧Ｖの単位は“Ｖ（実効値）”である。
【００１６】
プラテンカバー１２はプラテンガラス１１を覆うように設けられており、外光を遮断してプラテンガラス１１上に載置された被撮像物Ｏの読み取りを容易にする。フルレートキャリッジ１３は、光源１３１とミラー１３２とを備える。光源１３１はキセノン蛍光ランプやタングステンハロゲンランプ等の高演色性を有する光源であり、被撮像物Ｏに所定の強度の光を照射する。ミラー１３２は被撮像物Ｏからの反射光をさらに反射し、この光をハーフレートキャリッジ１４へと導く光路（図中の一点鎖線）を形成する。なお、ミラー１３２に入射する光は被撮像物Ｏの反射面に対してほぼ０°の反射角にて反射されてくる光であるため、そのほとんどは拡散反射成分となっている。フルレートキャリッジ１３は走査時において図２中の矢印ＡまたはＢの方向に移動し、被撮像物Ｏに光を照射しながら全面を走査する。
【００１７】
ハーフレートキャリッジ１４はミラー１４１、１４２を備え、フルレートキャリッジ１３からの光を結像レンズ１５へと導く光路を形成する。また、ハーフレートキャリッジ１４は図示せぬ駆動機構によって駆動され、走査時においてフルレートキャリッジ１３の半分の速度でフルレートキャリッジ１３と同じ方向へと移動される。
【００１８】
結像レンズ１５はミラー１４２とラインセンサ１６とを結ぶ光路上に設けられており、被撮像物Ｏからの光をラインセンサ１６の位置で結像する。ラインセンサ１６は反射光を例えばレッド（Ｒ）、グリーン（Ｇ）およびブルー（Ｂ）の３色の光に分光して受光し、それぞれを光電変換する３ラインカラーＣＣＤ（Charge Coupled Device）イメージセンサ等の撮像素子であり、受光した光の強度に応じた画像信号を出力する。
【００１９】
続いて、画像形成部２０の構成を説明する。画像形成部２０は、複数の給紙トレイ２１と、複数の搬送ロール２２と、一次転写ユニット２３ａ、２３ｂ、２３ｃおよび２３ｄと、中間転写ベルト２４と、二次転写ロール２５と、バックアップロール２６と、一次定着機構２７と、切替機構２８と、二次定着機構２９とを備える。
【００２０】
給紙トレイ２１はそれぞれ所定のサイズのシートを収容し、このシートを画像形成に合わせて供給する。ここでシートとは、いわゆるＰＰＣ（Plain Paper Copier）用紙等の画像形成において通常用いられる用紙であるが、必要に応じて、表面に樹脂等のコーティングがなされた用紙や紙以外の材質のシートを用いることができる。搬送ロール２２は、給紙トレイ２１により供給されたシートを二次転写ロール２５とバックアップロール２６が対向する位置に搬送する搬送経路を形成する。シートの搬送経路とは、図２において破線で示した経路のことである。一次転写ユニット２３ａ、２３ｂ、２３ｃおよび２３ｄは供給される画像データに応じたトナー像を形成し、形成したトナー像を中間転写ベルト２４に転写する。
【００２１】
ここで図５を参照し、一次転写ユニット２３ａの構成をより詳細に説明する。一次転写ユニット２３は、感光体ドラム２３１と、帯電器２３２と、露光器２３３と、現像ユニット２３４、２３５、２３６および２３７と、一次転写ロール２３８とを備える。感光体ドラム２３１は表面に電荷受容体としてＯＰＣ（Organic Photo Conductor：有機光導電体）からなる光導電層が形成された像担持体であり、図中の矢印Ｃの方向に回転される。帯電器２３２は帯電ローラを備えており、感光体ドラム２３１表面を一様に帯電させる。露光器２３３はレーザダイオードにより感光体ドラム２３１に光を照射し、その表面に所定の電位の静電潜像を形成する。現像ユニット２３４、２３５、２３６および２３７は、それぞれ異なる色のトナーを収容するとともに感光体ドラム２３１表面との間に所定の電位差（現像バイアス）を生じさせ、この電位差により感光体ドラム２３１表面に形成された静電潜像にトナーを付着させることによってトナー像を形成する。現像ユニット２３４〜２３７は、いわゆるロータリー方式の現像装置を構成している。一次転写ロール２３８は、中間転写ベルト２４が感光体ドラム２３１と対向する位置において所定の電位差（一次転写バイアス）を生じさせ、この電位差により中間転写ベルト２４表面にトナー像を転写させる。
【００２２】
現像ユニット２３４、２３５、２３６および２３７に収容されるトナーは、それぞれ、イエロー（Ｙ）、ゴールド、シルバーの３色のトナーと、透明トナーである。ここで、ゴールドとシルバーのトナーはいわゆるメタリック色のトナーである。また、透明トナーとは色材を含まないトナーのことであり、例えば低分子量のポリエステル樹脂にＳｉＯ２（二酸化シリコン）やＴｉＯ２（二酸化チタン）を外添したものである。透明トナーにより形成された画像の表面は平滑度を増し、さらに光沢が付与される。
【００２３】
なお、一次転写ユニット２３ｂ、２３ｃおよび２３ｄの構成は、現像ユニットが異なることを除けば一次転写ユニット２３ａと同様である。一次転写ユニット２３ｂ、２３ｃおよび２３ｄの現像ユニットは単色の現像装置であり、それぞれ、マゼンタ（Ｍ）、シアン（Ｃ）、ブラック（Ｋ）のトナー像を形成する。
【００２４】
ここで、参照する図面を再び図２に戻し、画像形成部２０のその他の構成要素について説明する。中間転写ベルト２４は、図示せぬ駆動機構によって図中の矢印Ｄの方向に移動される無端のベルト部材である。中間転写ベルト２４は、感光体ドラム２３１ａ、２３１ｂ、２３１ｃおよび２３１ｄと対向する位置においてトナー像を転写（一次転写）され、これを移動させてシートに転写（二次転写）させる。二次転写ロール２５およびバックアップロール２６は、中間転写ベルト２４がシートと対向する位置において所定の電位差（二次転写バイアス）を生じさせ、シートにトナー像を転写させる。一次定着機構２７はシートを加熱および加圧するためのロール部材を備えており、シートの表面に転写されたトナー像を定着させる。切替機構２８は、シートの表面に形成されているトナー像の種類に応じてシートの搬送経路を異ならせる。具体的には、切替機構２８は、トナー像が透明トナーを含んでいるシートを図中の矢印Ｒの方向へと搬送させ、その他のシートを図中の矢印Ｌの方向へと搬送して排出させる。
【００２５】
二次定着機構２９は、定着ベルト２９１と、ヒータ２９２と、ヒートシンク２９３とを備えている。二次定着機構２９は、一次定着機構２７においていったん加熱・加圧定着されたシートにヒータ２９２でさらに熱を加え、トナーを再度溶融状態にする。そして、二次定着機構２９はシートを表面の平滑な定着ベルト２９１に密着させたままヒートシンク２９３で冷却し、トナーを固着させる。このような定着処理を行うことで、表面が平滑で光沢度の高いトナー像を形成することができる。
【００２６】
画像読取部１０と画像形成部２０の構成は、以上の通りである。続いて、複写機１００のその他の構成について、図１のブロック図を参照しながら説明する。複写機１００は、上述の画像読取部１０と画像形成部２０に加え、制御部３０と、記憶部４０と、電圧印加部５０と、操作部６０と、通信部７０とを備えている。
【００２７】
制御部３０は図示せぬＣＰＵ（Central Processing Unit）やＲＡＭ（Random Access Memory）、ＲＯＭ（Read Only Memory）等を備えた演算装置であり、記憶部４０に記憶されたプログラムを実行することによって複写機１００各部の動作を制御する。なお、本実施形態の制御部３０は、画像読取部１０により生成された画像信号にＡＤ変換やシェーディング補正、色空間変換等の所定の処理を施し、画像信号に応じた画像データを出力する機能を有する。本実施形態における画像データは、各画素がＹＭＣＫ各色８ビットの階調値を有するデータであるとする。
【００２８】
記憶部４０はＨＤＤ（Hard Disk Drive）等の大容量の記憶装置であり、上述した複写機１００各部を動作させるためのプログラムをはじめとする各種データを記憶する。電圧印加部５０は、制御部３０からの指示に応じて液晶シート１１ａに付与すべき電圧を印加する。操作部６０はタッチパネル式のディスプレイや各種のボタンを備えた入力装置であり、ユーザによる入力指示を受け付ける。この入力指示は制御部３０へと供給される。通信部７０は外部装置とデータをやりとりするためのインターフェース装置である。複写機１００は、必要に応じて、画像形成部２０に供給される画像データをコンピュータ等の外部装置に出力することも可能となっている。
【００２９】
［２．動作］
以上の構成のもと、複写機１００はプラテンガラス１１に載置された被撮像物Ｏを走査（スキャン）して被撮像物Ｏを示す画像データを生成し、この画像データに基づいた画像をシートに形成する。以下では、複写機１００が被撮像物Ｏのスキャンから画像形成に至るまでに行う一連の動作について、図６に示すフローチャートの流れに沿って説明する。
【００３０】
ユーザがスキャン処理の開始を指示すると、複写機１００の制御部３０はまず、液晶シート１１ａに電圧を印加しない状態で被撮像物Ｏ全体を走査する（ステップＳ１）。電圧が印加されないので、このとき液晶シート１１ａは光を散乱する状態となる。制御部３０はこのとき生成された画像信号に基づき、被撮像物Ｏの金属光沢領域を判別するための画像データ（以下「判別用画像データ」という。）を生成し、ＲＡＭに記憶する（ステップＳ２）。
【００３１】
続いて制御部３０は、電圧印加部５０を介して液晶シート１１ａの電極間に電位差を生じさせ、液晶シート１１ａに電圧を印加した状態で被撮像物Ｏ全体を走査する（ステップＳ３）。電圧が印加された状態の液晶シート１１ａは光を透過する状態となる。制御部３０はこのとき生成された画像信号に基づき、被撮像物Ｏ表面の色情報を表す画像データを生成し、ＲＡＭに記憶する（ステップＳ４）。
【００３２】
２つの画像データを生成したら、制御部３０はこれらの画像データを画素毎に比較し、金属光沢領域の有無を判別する（ステップＳ５）。この判別処理においては、例えば、色情報を表す画像データと判別用画像データの差違が決められた閾値を上回る画素が決められた個数以上連続して存在するか否かを判定し、かかる判定が肯定的となる領域を金属光沢領域であると判別する。
【００３３】
上述の判別処理において、光沢領域が存在すると判別された場合には（ステップＳ５；ＹＥＳ）、制御部３０は色情報を表す画像データと光沢領域に関する情報とを画像形成部２０に供給し、これらに基づいて画像を形成させる（ステップＳ６）。制御部３０は画像形成部２０に対して、光沢領域にはメタリック色のトナーを付与する旨の指示を与え、その他の領域にはイエロー、マゼンタ、シアンおよびブラックのトナーを付与する旨の指示を与える。なお、メタリック色のトナーのうちのいずれを選択するかは、色情報を表す画像データに基づいて決定すればよい。例えば、金属光沢領域と判別された領域の画像データの色情報が白色に近ければシルバーのトナーを付与し、金属光沢領域と判別された領域の画像データの色情報が黄色に近ければゴールドのトナーを付与すればよい。
【００３４】
一方、上述の判別処理において、金属光沢領域が存在しないと判別された場合には（ステップＳ５；ＮＯ）、制御部３０は色情報を表す画像データを画像形成部２０に供給し、これに基づいて画像を形成させる（ステップＳ７）。すなわち画像形成部２０は、全ての領域についてイエロー、マゼンタ、シアンおよびブラックのトナーを用いて画像を形成する。
【００３５】
以上のように画像を形成することで、本実施形態の複写機１００は金属光沢領域を良好に判別し、この領域をメタリック色のトナーで再現することが可能となる。本実施形態の複写機１００によれば、被撮像物Ｏを動かすことなく２回のスキャンを行うことができるので、判別用画像データと色情報を表す画像データとの間に位置ずれを生じさせるおそれがない。また、電圧の印加により液晶シート１１ａの透過・散乱状態を変化させることができるので、ユーザが反射光制御部材の如きを挿入する必要もない。
【００３６】
［３．変形例］
なお、本発明は上述した実施形態にのみ限定されるものではなく、種々の態様にて実施することが可能である。具体的には、例えば以下のような変形が挙げられる。なお、これらの変形は、各々を適宜に組み合わせることも可能である。
【００３７】
上述の実施形態においては、電圧印加部５０が所定の電位差を与えることによって液晶シート１１ａを散乱状態にすると説明したが、図４に示したように液晶シート１１ａの透過率が連続的に変化するのであれば、印加する電圧を適宜に変化させることによって液晶シート１１ａが光を散乱する度合いを変化させることが可能となる。このことを利用して、例えば、光沢度が高い被撮像物をスキャンする場合には光の散乱する度合いを高め、光沢度が低い被撮像物をスキャンする場合には光の散乱する度合いを低めるようにしてもよい。このようにすれば、それぞれの被撮像物に応じた最適な状態でのスキャンを行うことができる。なお、印加する電圧についてあらかじめいくつか定めておき、これをモードとしてユーザに選択させる構成としてもよい。
【００３８】
また、上述の実施形態においては、金属光沢領域の画像をメタリック色のトナーで形成すると説明したが、金属光沢領域全体にメタリック色のトナーを付与し、金属光沢領域のうち光沢度が高い領域に対しその光沢度に応じて透明トナーを付与するようにしてもよい。なお、上述の実施形態においては、メタリック色のトナーとしてゴールドとシルバーのトナーのみを示したが、その他のメタリック色を採用することも可能である。
【００３９】
さらに、金属光沢領域を有する場合とそうでない場合とで、画像形成の態様を異ならせてもよい。例えば、金属光沢領域を有さない画像を形成する場合には、一次定着機構２７のみを用いて定着処理を行い、切替機構２８にてシートを図２中の矢印Ｌの方向へと搬送させる一方、金属光沢領域を有する画像を形成する場合には、一次定着機構２７による定着処理後に切替機構２８にてシートを図２中の矢印Ｒの方向へと搬送させ、さらに二次定着機構２９を用いて定着処理を行わせることができる。あるいは、金属光沢領域を有する場合とそうでない場合とで、定着速度や定着温度を異ならせてもよい。
【００４０】
また、上述の実施形態においては、液晶シート１１ａは２枚のガラス板１１１、１１５に挟まれる構成であったが、このような構成に限定されない。例えば、１枚のガラス板の上面あるいは下面に支持部材によって支持されている構成であってもよい。また、プラテンガラスはガラス板であるのが一般的な構成であるが、もちろん、ガラスとは異なる材質の透光性の板状部材（アクリル板等）であってもよい。
【００４１】
なお、光を散乱させる手段の構成は、上述した液晶シート１１ａに限らない。光を散乱させる手段は、印加電圧に応じて光の透過・散乱状態を変化させることができれば足りる。そのため、例えば、コレステリック液晶からなる液晶シートやいわゆるゲスト・ホスト型の液晶からなる液晶シートを用いることも可能である。
【００４２】
また、上述の実施形態においては、金属光沢領域を判別するための画像データを色情報を表す画像データと同一の光路により受光される画像信号から生成していたが、これらを異なる光路とすることも可能である。例えば、金属光沢領域を判別するための画像データを、鏡面反射方向（すなわち、反射面に対する反射角が入射角と等しくなる方向）からの光路により受光される画像信号から生成してもよい。鏡面反射方向からの反射光の強度は被撮像物の光沢度と強い相関があるので、この反射光により生成される画像データを金属光沢領域の判別に利用するのは有効な方法である。なお、この場合においても、光沢度が高い被撮像物をスキャンする場合には、液晶シートが光を散乱する度合いを大きくするとよい。
【００４３】
この方法を用いた場合、鏡面反射方向からの反射光を読み取る処理をプレスキャンとして用い、このプレスキャンによって金属光沢領域の有無を判別することも可能である。例えば、鏡面反射方向からの反射光により生成された画像データの明度が所定の閾値よりも高い領域が存在すれば、この領域を金属光沢領域とみなすことができる。
【図面の簡単な説明】
【００４４】
【図１】本発明の実施形態に係る複写機の構成を概略的に示したブロック図である。
【図２】複写機の構成をより具体的に示した図である。
【図３】複写機のプラテンガラスの構成を示した図である。
【図４】プラテンの液晶シートの透過率と電位差の関係を示した図である。
【図５】複写機の一次転写ユニットの構成を示した図である。
【図６】複写機が行う処理を示したフローチャートである。
【符号の説明】
【００４５】
１００…複写機、１０…画像読取部、１１…プラテンガラス、１１ａ…液晶シート、１１１、１１５…ガラス板、１１２、１１４…中間膜、１１３…液晶層、１２…プラテンカバー、１３…フルレートキャリッジ、１４…ハーフレートキャリッジ、１５…結像レンズ、１６…ラインセンサ、２０…画像形成部、２１…給紙トレイ、２２…搬送ロール、２３、２３ａ、２３ｂ、２３ｃ、２３ｄ…一次転写ユニット、２４…中間転写ベルト、２５…二次転写ロール、２６…バックアップロール、２７…一次定着機構、２８…切替機構、２９…二次定着機構、３０…制御部、４０…記憶部、５０…電圧印加部、６０…操作部、７０…通信部
【図１】
2007116541.tif 000003
【図２】
2007116541.tif 000004
【図３】
2007116541.tif 000005
【図４】
2007116541.tif 000006
【図５】
2007116541.tif 000007
【図６】
2007116541.tif 000008